(57)【要約】【課題】光ファイバーに伝送するＨＤ−ＳＤＩの映像フォーマットを、撮像部と制御部と確実に切り替える。【課題を解決するための手段】撮像部（カメラヘッド）と伝送路（光ファイバー）と制御部（ＣＣＵ）と操作部（ＲＣ）とからなり前記伝送路に伝送する映像フォーマットを切替える機能を有する撮像装置（マルチフォーマットハイビジョンカメラ）において、前記伝送路に伝送する映像フォーマット切替の可否を前記制御部の映像出力に表示し、前記操作部での操作により前記伝送路に伝送する映像フォーマット切替を撮像部と制御部とで同時に行なう。【選択図】図１
2012089988.tif 000002
【特許請求の範囲】
【請求項１】
撮像部と伝送路と制御部と操作部とからなり前記伝送路に伝送する映像フォーマットを切替える機能を有する撮像装置において、前記伝送路に伝送する映像フォーマット切替の可否を前記制御部の映像出力に表示し、前記操作部での操作により前記伝送路に伝送する映像フォーマット切替を前記撮像部と前記制御部とで同時に行なうことを特徴とする撮像装置。
【発明の詳細な説明】
【技術分野】
【０００１】
本発明は、撮像部と伝送路と制御部とからなる撮像装置に関するものである。
【背景技術】
【０００２】
従来、テレビジョンカメラシステムでは撮像部（カメラヘッド）と接続された制御部（Camera-Control-Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョンでは、本線映像信号，送り返し映像信号，音声信号，コントロール用シリアルデータ信号の送受信伝送と電源供給を光ケーブルで用いる方が一般であるが、トライアックスケーブルを施設に敷設してある場合は、デジタルトライアックスシステムを用いる。
【０００４】
従来の一実施例の概要を図１で説明する。
【０００５】
カメラヘッド１０１とカメラコントロールユニット１０３を光ケーブル１０２で接続したテレビジョンカメラシステムでは、カメラコントロールユニット１０３からカメラヘッド１０１へゲンロック信号を送信して、同期した映像信号をカメラヘッド１０１からカメラコントロールユニット１０３へ送信して、モニタ１０４に確認映像出力（以下ＭＯＮ出力）を出力している。このときカメラヘッド１０１及びカメラコントロールユニット１０３のフォーマットがそれぞれ同一である必要があり、どちらかのフォーマットが異なる場合は双方のデータ伝送が行なわれず正常な映像出力を行なう事が不可となる。たとえばカメラコントロールユニット１０３から一方的にカメラシステムのフォーマットを切替える指示を出した際、カメラヘッド１０１が切替え不可なタイプの機種が接続されていた場合にカメラコントロールユニット１０３のみフォーマットが切替わってしまい、データ伝送及び正常な映像出力が出来なくなってしまうので、カメラシステムのフォーマット切替えに手順が必要となる。
【先行技術文献】
【特許文献】
【０００６】
【特許文献１】特開平７−２０３３９９号公報
【発明の概要】
【発明が解決しようとする課題】
【０００７】
撮像装置の伝送路（光ファイバー）に伝送するＨＤ−ＳＤＩの映像フォーマットを、撮像部と制御部と確実に切り替えることが本発明の目的である。
【課題を解決するための手段】
【０００８】
本発明は、上記課題を解決するため、撮像部と伝送路と制御部と操作部とからなり前記伝送路に伝送する映像フォーマットを切替える機能を有する撮像装置において、前記伝送路に伝送する映像フォーマット切替の可否を前記制御部の映像出力に表示し、前記操作部での操作により前記伝送路に伝送する映像フォーマット切替を前記撮像部と前記制御部とで同時に行なうことを特徴とする撮像装置である。
【０００９】
また、上記撮像装置において、映像フォーマット切替えを実施した後、前記伝送路に伝送する映像が正常に接続された事を双方で確認を行ない、確認映像出力（以下ＭＯＮ出力）にて切替え操作終了を表示し、逆に確認が出来ない場合はフォーマットを切替える前の状態に戻して、異常終了した内容をＭＯＮ出力に表示することを特徴とする撮像装置である。
【発明の効果】
【００１０】
本発明によれば、撮像装置の伝送路（光ファイバー）に伝送するＨＤ−ＳＤＩの映像フォーマットを、撮像部と制御部と確実に切り替えることができる。
【図面の簡単な説明】
【００１１】
【図１】カメラシステムの概要を示すブロック図
【図２】本発明の一実施例の電源ON時のカメラシステムフォーマット設定の概要を示すフローチャート
【図３】本発明の一実施例の動作中のカメラシステムフォーマット切替えの概要を示すフローチャート
【発明を実施するための形態】
【実施例１】
【００１２】
本発明による撮像装置の一実施例の動作の概要を、カメラシステムの概要を示すブロック図の図１と本発明の一実施例の電源ON時のカメラシステムフォーマット設定の概要を示すフローチャートの図２と本発明の一実施例の動作中のカメラシステムフォーマット切替えの概要を示すフローチャートの図3とを用いて説明する。
【００１３】
まずは図１及び図２にて電源立ち上げ時のフォーマット設定手順について説明する。
図１のカメラコントロールユニット１０３に電源をＯＮした後、カメラヘッド１０１の電源をＯＮしてカメラシステムが立ち上がるが、図２に示すように電源立ち上げ時はＮＴＳＣフォーマットにてシステムを動作させる（ステップ１０１，ステップ１１２）。次にカメラヘッド１０１の機種を確認して（ステップ１０２，ステップ１１３，ステップ１０３）、フォーマットの切替えが可能な機種の場合は前回電源をＯＦＦした時のカメラシステムのフォーマットに切替えるコマンド指示をカメラヘッド１０１へ送信し（ステップ１０５）、カメラヘッド１０１はそのコマンド指示を受けてから２フレーム後にフォーマット切替えの制御をスタートすると同時にフォーマット切替えの受付けを完了した事をカメラコントロールユニット１０３へ返信する（ステップ１１４，ステップ１１５）。カメラコントロールユニット１０３はその返信を受けて２フレーム後にフォーマットを切替える（ステップ１０６）。フォーマットの切替えが完了した後、フォーマットを確認するコマンドをカメラヘッド１０１へ送信し（ステップ１０７）、カメラヘッド１０１は切替えたフォーマットをカメラコントロールユニット１０３へ返信する（ステップ１１６）。カメラコントロールユニット１０３は、その返信がある場合はカメラシステムのフォーマット切替えが正常終了した事と切替えたフォーマット情報をカメラコントロールユニット１０３のＰＩＸ出力に表示する（ステップ１０９）。もしも返信が無い場合はカメラコントロールユニット１０３のＰＩＸ出力に異常終了した事を表示し、切替え前のフォーマットに戻す（ステップ１１０）。それ以外にカメラヘッド１０１の機種確認にてフォーマット切替えが不可の場合はＰＩＸ出力にフォーマット切替えが出来ない事を表示し、切替え制御を行なわずに設定を完了する（ステップ１０４，１１１）。
【００１４】
次に、図１及び図３にてカメラシステム動作中におけるフォーマット切替えの設定手順について説明する。
電源起動時にカメラヘッド１０１から受信した機種情報により、切替え可能なフォーマットをフォーマット切替え用メニュー上に表示する（ステップ１１７）。接続されているカメラヘッド１０１がフォーマット切替え可能な場合はカメラコントロールユニット１０３のＰＩＸ出力におけるメニュー操作によりフォーマット切替えコマンド指示をカメラヘッド１０１へ送信する（ステップ１１９）。カメラヘッド１０１はそのコマンド指示を受けてから２フレーム後にフォーマット切替えの制御をスタートすると同時にフォーマット切替えの受付けを完了した事をカメラコントロールユニット１０３へ返信する（ステップ１２６，ステップ１２７）。カメラコントロールユニット１０３はその返信を受けて２フレーム後にフォーマットを切替える（ステップ１２０）。フォーマットの切替えが完了した後、フォーマットを確認するコマンドをカメラヘッド１０１へ送信し（ステップ１２１）、カメラヘッド１０１は切替えたフォーマットをカメラコントロールユニット１０３へ返信する（ステップ１２８）。カメラコントロールユニット１０３は、その返信がある場合はカメラシステムのフォーマット切替えが正常終了した事と切替えたフォーマット情報をカメラコントロールユニット１０３のＰＩＸ出力に表示する（ステップ１２３）。もしも返信が無い場合はカメラコントロールユニット１０３のＰＩＸ出力に異常終了した事を表示し、切替え前のフォーマットに戻す（ステップ１２４）。それ以外にカメラヘッド１０１の機種確認にてフォーマット切替えが不可の場合はＰＩＸ出力にフォーマット切替えが出来ない事を表示し、切替え制御を行なわずに設定を完了する（ステップ１１８，１２５）。
【００１５】
以上のように、カメラシステムのフォーマット設定の手順を行なえば、カメラコントロールユニット１０３から確実にカメラヘッド１０１への制御を行なう事が可能となり、使い勝手の良いカメラシステムを構築できる。
【００１６】
つまり、本発明では、カメラコントロールユニットからカメラシステムのフォーマットを切替えを行なうためにカメラヘッドの機種を判別し、フォーマットの切替えが可能か確認をする必要があるので電源立ち上げ時はカメラヘッド及びカメラコントロールユニットをＮＴＳＣフォーマットに設定してデータ伝送を行なう事で相互の情報を交換してカメラシステムのフォーマット切替えを行なう。同様にシステム稼働中もフォーマット切替えの前に相互データ伝送確認を行なった上で、カメラシステムのフォーマット切替えを行ない、切替えた後もデータ伝送及び映像出力が正常か確認をして、正常な場合はカメラシステムのフォーマット確定、異常な場合は切替える前のカメラシステムのフォーマットに戻す事で確実なカメラシステムの切替えを確立させる。
【符号の説明】
【００１７】
１０１：カメラヘッド（撮像部）、１０２：光ケーブル（伝送路）、１０３：カメラコントロールユニット（制御部）、１０４：モニタ、１０５：リモコン（操作部）
【図１】
2012089988.tif 000003
【図２】
2012089988.tif 000004
【図３】
2012089988.tif 000005